(57)【要約】【課題】作業者への処置を速やかに行うことができる救助設備及び救助方法を提供する。【解決手段】一実施形態に係る救助設備は、作業が行われるケーソンＣに用いられる救助設備１である。救助設備１は、作業室３に対して上方に延びるマテリアルシャフト６と、マテリアルシャフト６の作業室３よりも上方の位置に設けられたマテリアルロック１０と、作業室３において作業者Ｍ１を収容し、マテリアルシャフト６の内側を通り作業室３とマテリアルロック１０との間を昇降する収容装置２０と、マテリアルロック１０の上方から収容装置２０を昇降させる揚重機３０と、を備え、マテリアルロック１０は、作業者Ｍ１に処置を施す処置空間１０ａを有する。【選択図】図１
2019019593.tif 000002
【特許請求の範囲】
【請求項１】
作業が行われる作業室を備えたケーソンに用いられる救助設備であって、
前記作業室に対して上方に延びるマテリアルシャフトと、
前記マテリアルシャフトの前記作業室よりも上方の位置に設けられたマテリアルロックと、
前記作業室において作業者を収容し、前記マテリアルシャフトの内側を通り前記作業室と前記マテリアルロックの間を昇降する収容装置と、
前記マテリアルロックの上方から前記収容装置を昇降させる揚重機と、
を備え、
前記マテリアルロックは、前記作業者に処置を施す処置空間を有する、
救助設備。
【請求項２】
前記収容装置は、前記マテリアルロック及び前記マテリアルシャフトを通るワイヤを介して前記揚重機に接続される、
請求項１に記載の救助設備。
【請求項３】
前記収容装置は、ヘリウム混合ガスを供給する第１供給部と、酸素を供給する第２供給部と、
を備える請求項１又は２に記載の救助設備。
【請求項４】
前記収容装置は、消火器を備える、
請求項１〜３のいずれか一項に記載の救助設備。
【請求項５】
前記マテリアルロックは、前記処置空間の気圧を調整する気圧調整部と、前記処置空間の温度を調整する温度調整部と、ヘリウム混合ガスを供給する第３供給部と、酸素を供給する第４供給部と、
を備える請求項１〜４のいずれか一項に記載の救助設備。
【請求項６】
前記マテリアルロックは、前記ワイヤを通す挿通孔を有し、
前記ワイヤには、前記挿通孔を下から塞ぐ封止部材が取り付けられる、
請求項２に記載の救助設備。
【請求項７】
作業が行われる作業室を備えたケーソンで行われる作業者の救助方法であって、
前記作業室に位置する収容装置に前記作業者を収容する工程と、
前記ケーソンのマテリアルシャフトを介してマテリアルロックの処置空間に前記収容装置を上昇させる工程と、
前記処置空間の減圧を予め定められた計画速度で行うと共に、前記収容装置に収容されている前記作業者に処置を施す工程と、
を備える救助方法。
【発明の詳細な説明】
【技術分野】
【０００１】
本発明は、ケーソンで作業をする作業者を救助する救助設備及び救助方法に関する。
【背景技術】
【０００２】
従来からケーソンで作業を行う作業者を救助する救助設備は知られている。実公平７−４７４５８号公報には、ニューマチックケーソンの作業室で作業を行う作業者を救助する救出カプセルが記載されている。この救出カプセルは、ニューマチックケーソンで鉛直方向に延びるシャフト内に通されるワイヤロープを介してクレーンに接続されている。
【０００３】
作業室において、急性の発病又は怪我等をした作業者が生じたときには、函内責任者が地上の責任者に連絡し、地上の責任者は、ロックテンダーと地上玉掛け者に連絡する。地上玉掛け者は、救出カプセルに設けられた吊り金具にクレーンのワイヤロープを接続する。そして、ロックテンダーは、上記の救出カプセルがある位置にクレーンを操作する。
【０００４】
その後、シャフトを介して作業室にまでクレーンで救出カプセルを降ろし、作業者を救出カプセルに乗せると共に必要であれば介護人も救出カプセルに乗り込み、救出カプセルを地上にまで引き上げて当該作業者を救出する。また、作業室は高圧となっているので、救出カプセルは、シャフト内の上部ロックで大気圧にまで減圧されてから地上に運ばれて処置が施される。
【先行技術文献】
【特許文献】
【０００５】
【特許文献１】実公平７−４７４５８号公報
【発明の開示】
【発明が解決しようとする課題】
【０００６】
しかしながら、前述した救出カプセルでは、大気圧まで減圧されて地上に運ばれた後に、作業者に対する処置が施される。よって、作業者への処置を速やかに行えないという問題がある。また、従来の救助設備は、作業者が移動したり、作業者がはしごを登ったりすることが必要であった。従って、大けがをしている作業者、又は大病を患った作業者等、重篤な作業者は、救助カプセル等に乗ることが困難となる場合がある。すなわち、作業者に救助カプセル等に入るための負担をかける可能性がある。
【０００７】
本発明は、作業者への処置を速やかに行うことができる救助設備及び救助方法を提供することを目的とする。
【課題を解決するための手段】
【０００８】
本発明に係る救助設備は、作業が行われる作業室を備えたケーソンに用いられる救助設備であって、作業室に対して上方に延びるマテリアルシャフトと、マテリアルシャフトの作業室よりも上方の位置に設けられたマテリアルロックと、作業室において作業者を収容し、マテリアルシャフトの内側を通り作業室とマテリアルロックの間を昇降する収容装置と、マテリアルロックの上方から収容装置を昇降させる揚重機と、を備え、マテリアルロックは、作業者に処置を施す処置空間を有する。
【０００９】
この救助設備は、作業室に対して上方に延びるマテリアルシャフトと、作業室よりも上方の位置に設けられたマテリアルロックとを備え、マテリアルロックは、作業者に処置を施す処置空間を有する。よって、資材及び機材の搬送を行うマテリアルシャフト及びマテリアルロックを、作業者に処置を施す設備として利用しているため、マテリアルシャフト及びマテリアルロックを有効利用することができる。また、作業者を収容する収容装置を揚重機で吊り上げてマテリアルロックに移動させることによって作業者をマテリアルロックの処置空間に移動させることができるため、作業者への処置を地上に戻す前に速やかに行うことができる。更に、作業者は、収容装置に収容された後には、自力での移動を要さずに処置空間に自動的に移動する。従って、作業者が収容装置に収容されてから処置空間に移動するまで、作業者は自力で移動する必要がないので、一切の負担を作業者にかけないようにすることができる。
【００１０】
また、収容装置は、マテリアルロック及びマテリアルシャフトを通るワイヤを介して揚重機に接続されていてもよい。この場合、作業室とマテリアルロックの間を昇降する収容装置がワイヤを介して揚重機に吊り下げられることにより、収容装置を昇降させることができる。
【００１１】
また、収容装置は、ヘリウム混合ガスを供給する第１供給部と、酸素を供給する第２供給部と、を備えてもよい。この場合、収容装置に収容した作業者にヘリウム混合ガス又は酸素を吸入させることができるので、安全な減圧を行うと共に作業者に応急処置を施すことができる。
【００１２】
また、収容装置は、消火器を備えてもよい。この場合、作業室又はマテリアルロックで万が一火災が発生しても、消火器によって消火を行うことができる。従って、作業室及びマテリアルロックの安全性を高めることができる。
【００１３】
また、マテリアルロックは、処置空間の気圧を調整する気圧調整部と、処置空間の温度を調整する温度調整部と、ヘリウム混合ガスを供給する第３供給部と、酸素を供給する第４供給部と、を備えてもよい。この場合、マテリアルロックの内部において、処置空間の気圧及び温度の調整を行うことができる。また、気圧及び温度の調整を行いながら作業者にヘリウム混合ガス又は酸素を吸入させることができる。従って、安全な減圧を速やかに行うことができる。
【００１４】
また、マテリアルロックは、ワイヤを通す挿通孔を有し、ワイヤには、挿通孔を下から塞ぐ封止部材が取り付けられてもよい。この場合、マテリアルロックの挿通孔が下から封止部材によって塞がれる。従って、当該挿通孔から気体が漏れることによってマテリアルロック内の気圧が急激に低下する問題を回避することができる。
【００１５】
本発明に係る救助方法は、作業が行われる作業室を備えたケーソンで行われる作業者の救助方法であって、作業室に位置する収容装置に作業者を収容する工程と、ケーソンのマテリアルシャフトを介してマテリアルロックの処置空間に収容装置を上昇させる工程と、処置空間の減圧を予め定められた計画速度で行うと共に、収容装置に収容されている作業者に処置を施す工程と、を備える。
【００１６】
この救助方法では、ケーソンのマテリアルシャフトを昇降する収容装置に作業者を収容し、収容装置を上昇させてマテリアルロックに設けられた処置空間に移動させてから減圧及び処置を施す。従って、収容装置に収容された作業者は、そのまま処置空間に自動的に移動して速やかに処置を受けることができる。よって、作業者への処置を地上に戻す前に速やかに行うことができる。また、収容装置に収容された作業者は、自力で移動することなく処置を受けることができるので、一切の負担を作業者にかけないようにすることができる。更に、処置空間では、減圧を予め定められた計画速度で行うので、急激な気圧の低下を抑制することができる。従って、減圧症の発生を抑制することができる。
【発明の効果】
【００１７】
本発明によれば、作業者への処置を速やかに行うことができる。
【図面の簡単な説明】
【００１８】
【図１】実施形態に係る救助設備を示す縦断面図である。
【図２】図１の救助設備の収容装置の例を示す斜視図である。
【図３】（ａ）は、図２の収容装置に設けられた担架を示す斜視図である。（ｂ）は、（ａ）の担架を椅子型にした状態を示す斜視図である。
【図４】図１の救助設備のマテリアルロックの処置空間を概念的に示す縦断面図である。
【図５】図４のマテリアルロックの天端及び封止部材を示す縦断面図である。
【発明を実施するための形態】
【００１９】
以下では図面を参照しながら本発明に係る救助設備及び救助方法の実施形態について説明する。図面の説明において、同一又は相当する要素は同一の符号を付し重複する説明を適宜省略する。
【００２０】
図１に示されるように、本実施形態に係る救助設備１は、ケーソンＣに設けられている。ケーソンＣは、ニューマチックケーソン工法によって構築される。ニューマチックケーソン工法では、地上Ｇで鉄筋コンクリート製の躯体２を構築し、躯体２の下部に作業室３を設ける。作業室３に地下水圧に相当する圧縮空気を送り込むことによって作業室３への地下水の浸入を防いでいる。作業室３の高さは例えば２〜３ｍである。
【００２１】
作業室３の内部で掘削及び排土を行って躯体２を沈下させ、躯体２を、橋梁等の建築物の基礎、下水ポンプ場、地下調整池、シールドトンネルの立杭、又は、道路のトンネル等の構造物として利用する。躯体２の底部側には、作業室３を形成するスラブ４が設けられており、スラブ４の上側には、水荷重を付与する水貯留部５が設けられている。なお、スラブ４の上側には、水荷重が付与されないこともある。
【００２２】
ケーソンＣは、資材及び機材の搬送を行うマテリアルシャフト６と、マテリアルシャフト６の上端に設けられたマテリアルロック１０と、作業者Ｍ１，Ｍ２が通常移動用として用いる螺旋階段を備えたマンシャフト及びマンロック（図示せず）とを備える。本実施形態において、マテリアルロック１０は、けがをしたり病気になったりした作業者Ｍ１を救助する救助用ロックとして用いられる。マテリアルロック１０は、例えば、地上Ｇよりも高い位置に設けられている。
【００２３】
マテリアルシャフト６は、スラブ４から鉛直上方に延びており、マテリアルシャフト６の上端にマテリアルロック１０が設けられる。マテリアルシャフト６は、後述する収容装置２０が昇降する内部空間６ａを有し、内部空間６ａは、作業室３からマテリアルロック１０の上端にまで鉛直方向に延びている。救助設備１は、マテリアルシャフト６及びマテリアルロック１０の他に、収容装置２０と、収容装置２０とワイヤ３１を介して接続されておりワイヤ３１で収容装置２０を吊り上げる揚重機３０と、を備える。
【００２４】
図１及び図２に示されるように、収容装置２０は、作業者Ｍ１を収容する装置である。収容装置２０は、カプセル状、又はカゴ状とされていてもよい。重篤である作業者Ｍ１（例えば、意識を失った作業者Ｍ１等）は、作業室３にいる別の仲間である作業者Ｍ２によって収容装置２０に収容される。収容装置２０は、例えば、全体として有底円筒状とされており、上部にメッシュ状とされた金網部２３を備える。すなわち、収容装置２０は、有底円筒状の本体部２２と、本体部２２の上端で円錐状とされた金網部２３とを備える。
【００２５】
金網部２３は、ワイヤ３１を取り付けるワイヤ取付け部２３ａを備える。ワイヤ取付け部２３ａは、例えば、金網部２３の上端に設けられており、ワイヤ３１の下端を結びつける取付孔を備える。ワイヤ３１は、金網部２３から鉛直上方に延びると共に、マテリアルシャフト６の内部空間６ａで鉛直方向に延在しており、ワイヤ３１の上端は揚重機３０に接続されている。
【００２６】
揚重機３０は、ケーソンＣにおいて行われる作業を行うために用いられる。揚重機３０は、通常時は、ケーソンＣの資材及び機材をケーソンＣの内外で運搬するために設けられる。本実施形態では、このケーソンＣの作業で用いられる揚重機３０が収容装置２０の昇降に用いられるので、揚重機３０を有効利用することが可能である。
【００２７】
収容装置２０の本体部２２は、本体部２２の矩形状に切り欠かれた部分において本体部２２の周方向にスライド自在とされたスライドドア２１を有する。スライドドア２１は、例えば、矩形状に窪んだ取っ手部２１ａと、スライドドア２１の施錠を可能とする鍵穴部２１ｂとを有する。本体部２２の内部には、ヘリウム混合ガスを供給する第１供給部２２ａと、純酸素を供給する第２供給部２２ｂと、消火器２２ｃと、が設けられる。
【００２８】
第１供給部２２ａは、作業者Ｍ１にヘリウム混合ガスを吸引させる機器であり、第２供給部２２ｂは、作業者Ｍ１に純酸素を吸引させる機器である。ヘリウム混合ガスは、例えば、ヘリウム及び酸素が含まれたヘリオックスであってもよい。また、ヘリウム混合ガスは、ヘリウム、窒素及び酸素が混合された気体であってもよく、ヘリウム、窒素及び酸素の混合比は、一例として、それぞれ５５％、２５％及び２０％である。但し、ヘリウム、窒素及び酸素の混合比は適宜変更可能である。
【００２９】
消火器２２ｃは、例えば、水消火器であり、具体例として加圧式水消火器、又は高圧型消火器であってもよい。消火器２２ｃは複数設けられていてもよい。消火器２２ｃの種類は、例えば、作業室３の作業気圧に応じて適宜変更可能である。一例として、消火器２２ｃは、作業気圧が０．４ＭＰａ未満である場合には通常の消火器であってもよいし、作業気圧が０．４ＭＰａ以上である場合には高圧型の消火器であってもよい。このように作業気圧に応じて消火器２２ｃの種類が選択されることにより、どのような作業気圧であっても確実に消火器２２ｃを用いることが可能となる。また、収容装置２０は、救急箱を含む救急装置２４と、作業者Ｍ１を移動させるための担架２５とを備える。救急装置２４は、例えば、救急三角布、添え着、又は氷等、応急処置に用いられる機器を備えていてもよい。
【００３０】
図３（ａ）及び図３（ｂ）に示されるように、担架２５は、作業者Ｍ１を寝かせた状態で椅子型に変形することが可能とされている。担架２５は、作業者Ｍ１の背中が載せられる背当て部２６と、作業者Ｍ１の臀部が載せられる座部２７と、座部２７から延びる４体のキャスタ部２８と、を備える。
【００３１】
担架２５は、背当て部２６及び座部２７が水平方向に延びている状態で背当て部２６及び座部２７に作業者Ｍ１が載せられて、この状態で背当て部２６及び座部２７に作業者Ｍ１を着座させることが可能である。作業者Ｍ１が着座する担架２５は４体のキャスタ部２８によってスムーズに移動させることが可能である。
【００３２】
作業者Ｍ１は、担架２５に着座した状態で収容装置２０に収容される。これにより、作業者Ｍ１を寝かせるスペースが不要となるので、収容装置２０を小型化することができる。収容装置２０に収容された作業者Ｍ１は、担架２５に着座した状態で作業室３からマテリアルロック１０に引き上げられる。
【００３３】
図４は、マテリアルロック１０の内部構造を模式的に示す縦断面図である。図４に示されるように、マテリアルロック１０は、資材及び機材を搬送する通常のマテリアルロックが救助用として改造されたものであり、作業者Ｍ１を救助するための設備を備える。マテリアルロック１０は、例えば、他の部分よりも拡径された２つの拡張部１０Ａを備える。マテリアルロック１０は、作業者Ｍ１を治療する医療機器を備えるため、高い清浄度が維持されている。マテリアルロック１０は、作業者Ｍ１に処置を施す処置空間１０ａを有する。また、マテリアルロック１０には、他のマテリアルロック又はマンロックと識別するため、色彩等の識別手段が施されていてもよい。
【００３４】
処置空間１０ａは、普段は使用されず、緊急時に使用される空間である。ここで「緊急」とは、作業者Ｍ１がけがをしたり病気になったりした状態を含んでおり、治療等の処置が必要な作業者Ｍ１がいる状態を含む。処置空間１０ａは、このような緊急のときに用いられる空間である。また、処置空間１０ａは、高い清浄度が求められるため、平時は使用されない。
【００３５】
マテリアルロック１０は、ヘリウム混合ガスを供給する第３供給部１１と、純酸素を供給する第４供給部１２と、処置空間１０ａの気圧を調整する気圧調整部１３と、処置空間１０ａの温度を調整する温度調整部１９を備える。更に、マテリアルロック１０は、処置空間１０ａの作業者Ｍ１を撮影するカメラ１４ａ、マテリアルロック１０の外部と通信を行う携帯端末１４ｂ、消火用設備１４ｃ、処置空間１０ａを照らす照明設備１４ｄ、処置空間１０ａにおける電気機器の使用を可能とするコンセント１４ｅ、及びＷｉｆｉルータ１４ｆを備えていてもよい。
【００３６】
第３供給部１１及び第４供給部１２の構成は、例えば、前述した収容装置２０の第１供給部２２ａ及び第２供給部２２ｂの構成と同一であってもよい。気圧調整部１３は、処置空間１０ａに外部から気体を導入する吸気部１３ａ、及び処置空間１０ａから気体を排出する排気部１３ｂを含む。気圧調整部１３は、吸気部１３ａ及び排気部１３ｂを調整することにより、処置空間１０ａの気圧を予め定められた計画速度に則って低下させる。吸気部１３ａは、例えば、インレットバルブを含み、排気部１３ｂは、アウトレットバルブを含む。
【００３７】
カメラ１４ａは、作業者Ｍ１を撮影し、作業者Ｍ１に異常がないかどうかを判断するために設けられる。カメラ１４ａの撮影画像は、地上Ｇに送信される。よって、地上Ｇにいる作業者は、カメラ１４ａの撮影画像を視認することにより、作業者Ｍ１の状態を把握することが可能である。また、カメラ１４ａは、処置空間１０ａの音声を取得するレコーダ機能を備えていてもよい。
【００３８】
携帯端末１４ｂ及びＷｉｆｉルータ１４ｆは、処置空間１０ａの外部に情報を伝えたいときに用いられる緊急用の通信手段である。消火用設備１４ｃは、処置空間１０ａにおいて火災が生じたときに消火を行う設備である。消火用設備１４ｃは、例えば、消火用の水を高圧で噴出させる消火用ホースを含む。照明設備１４ｄは、例えば、処置空間１０ａの上部に設けられており、処置空間１０ａを明るくするために設けられる。
【００３９】
照明設備１４ｄにより、処置空間１０ａ内がよく見えるようになるので、作業者Ｍ１に対する処置をスムーズに行うことが可能となる。コンセント１４ｅは、処置空間１０ａで電気機器を使用するときに、当該電気機器のプラグが差し込まれる部位である。このコンセント１４ｅにより、処置空間１０ａにおいて種々の電気機器を使用することが可能である。
【００４０】
図１及び図４に示されるように、マテリアルロック１０は、例えば、処置空間１０ａの下部を開閉する下ドア１５と、処置空間１０ａの上部を開閉する上ドア１６と、天端１７と、手摺り及び踊り場等の作業用スペース１８とを備える。下ドア１５は、収容装置２０がマテリアルロック１０より下方に位置するときには開放されている。また、下ドア１５は、収容装置２０が、マテリアルロック１０、又はマテリアルロック１０よりも上方に位置するときには閉塞されている。上ドア１６は、処置空間１０ａに作業者が入り込むときには開放されており、処置空間１０ａの気圧調整をするときには閉塞されている。
【００４１】
図５に示されるように、マテリアルロック１０の天端１７は、揚重機３０から下方に延びるワイヤ３１を挿通させる挿通孔１７ａを有する。天端１７に対してワイヤ３１をスムーズに上下に動かすため、挿通孔１７ａの直径は、ワイヤ３１の直径よりも大きくなっている。従って、ワイヤ３１と挿通孔１７ａとの間には隙間Ｓが形成されるので、何らの対策も施さない場合には、処置空間１０ａの気体が挿通孔１７ａから漏れるので、処置空間１０ａの気圧が急激に下がることが懸念される。
【００４２】
そこで、本実施形態では、挿通孔１７ａを塞ぐ封止部材３２を備える。封止部材３２は、例えば、ゴム製であり、下から挿通孔１７ａに入り込むことによって挿通孔１７ａを塞ぎ込む。封止部材３２は、ワイヤ３１に固定されている。封止部材３２は、例えば、上方に向かうに従って徐々に縮径する円錐状とされている。よって、封止部材３２は、挿通孔１７ａに押し込みやすい形状とされているので、挿通孔１７ａをより確実に封止することが可能である。
【００４３】
封止部材３２は、ワイヤ３１に固定させる前には、例えば、円錐の軸線方向に延びる平面で分割された２つの半割部材とされている。ワイヤ３１に封止部材３２を固定させるときには、２つの半割部材でワイヤ３１を挟み込み、２つの半割部材をネジで互いに接合させることにより、封止部材３２がワイヤ３１に固定される。よって、ワイヤ３１への封止部材３２の固定作業を容易に行うことが可能である。
【００４４】
次に、ケーソンＣで作業者Ｍ１を救助する救助方法について説明する。ケーソンＣの作業室３における作業中等に作業者Ｍ１がけがをしたり病気になったりした場合において、当該作業者Ｍ１を治療し地上Ｇに連れ戻す手順について説明する。まず、図４に示されるように、揚重機３０で収容装置２０を吊り降ろしてマテリアルロック１０の処置空間１０ａに収容装置２０を配置する。
【００４５】
そして、上ドア１６を開けて応急処置を行う作業者を処置空間１０ａに配置し、照明設備１４ｄを点灯させて作業者Ｍ１の受け入れの準備を行う。また、下ドア１５及び上ドア１６を閉めて気圧調整部１３が吸気部１３ａ及び排気部１３ｂを制御することにより、処置空間１０ａを高圧状態とする。これにより、処置空間１０ａの気圧を作業室３の気圧と均衡させる。
【００４６】
処置空間１０ａの気圧を作業室３の気圧と均衡させた後には、下ドア１５を開けて揚重機３０によって収容装置２０を作業室３に吊り降ろす。そして、収容装置２０のスライドドア２１を開けて、けが等をしていない作業者Ｍ２が作業者Ｍ１を担架２５に乗せて担架２５を椅子型にし、作業者Ｍ１を収容装置２０に収容する（作業者を収容する工程）。
【００４７】
このとき、キャスタ部２８で担架２５を簡単に移動させることができるので、収容装置２０への作業者Ｍ１の収容をスムーズに行うことが可能である。そして、スライドドア２１を閉めて揚重機３０でワイヤ３１を吊り上げることにより、収容装置２０をマテリアルロック１０の処置空間１０ａに移動させる（収容装置を上昇させる工程）。そして、ワイヤ３１に封止部材３２を固定させて、封止部材３２で天端１７の挿通孔１７ａを封止する。
【００４８】
処置空間１０ａに移動した作業者Ｍ１は、処置空間１０ａにおいて直ちに処置を受けることができる。また、前述した応急処置を行う作業者が作業者Ｍ１に対して応急処置を行う（作業者に処置を施す工程）。ここで、処置空間１０ａの気圧が０．３ＭＰａより高い（作業室３の深さが３０ｍより深い）ときには、第３供給部１１を作業者Ｍ１に装着させてヘリウム混合ガスの吸入を行うと共に、予め定められた計画速度で処置空間１０ａの減圧を開始する。
【００４９】
このとき、ワイヤ３１に固定された封止部材３２によって天端１７の挿通孔１７ａが封止されているので、気圧調整部１３が吸気部１３ａ及び排気部１３ｂを制御することにより、処置空間１０ａの気圧の制御を高精度に行うことが可能である。処置空間１０ａの減圧を開始して処置空間１０ａの気圧が０．３ＭＰａ以下となったときに、作業者Ｍ１から第３供給部１１を外して作業者Ｍ１に空気を吸引させる。
【００５０】
処置空間１０ａの減圧が進行し、処置空間１０ａの気圧が０．１２ＭＰａ以下となったときに、作業者Ｍ１に第４供給部１２を装着させて純酸素の吸入を行う。このとき、作業者Ｍ１が純酸素の吸入を行うことにより、酸素が人体で消費されると共に、体内の窒素を外に排出させることが可能となる。そして、処置空間１０ａの気圧が大気圧と均衡した後には、作業者Ｍ１が収容されている収容装置２０を揚重機３０で地上Ｇに移動させ、作業者Ｍ１を病院等に搬送する。
【００５１】
次に、本実施形態に係る救助設備１及び救助方法から得られる作用効果について詳細に説明する。
【００５２】
救助設備１は、作業室３に対して上方に延びるマテリアルシャフト６と、作業室３よりも上方の位置に設けられたマテリアルロック１０と、を備え、マテリアルロック１０は、作業者Ｍ１に処置を施す処置空間１０ａを有する。よって、資材及び機材の搬送を行うマテリアルシャフト６及びマテリアルロック１０を作業者Ｍ１に処置を施す設備として利用しているため、マテリアルシャフト６及びマテリアルロック１０を有効利用することができる。
【００５３】
また、作業者Ｍ１を収容する収容装置２０を揚重機３０で吊り上げてマテリアルロック１０に移動させることによって作業者Ｍ１をマテリアルロック１０の処置空間１０ａに移動させることができるため、作業者Ｍ１への処置を地上Ｇに戻す前に速やかに行うことができる。
【００５４】
更に、作業者Ｍ１は、収容装置２０に収容された後には、自力での移動を要さずに処置空間１０ａに自動的に移動する。従って、作業者Ｍ１が収容装置２０に収容されてから処置空間１０ａに移動するまで、作業者Ｍ１は自力で移動する必要がないので、一切の負担を作業者Ｍ１にかけないようにすることができる。すなわち、はしごを登ったり、歩いて移動したりすることは一切不要である。
【００５５】
また、収容装置２０は、マテリアルロック１０及びマテリアルシャフト６を通るワイヤ３１を介して揚重機３０に接続されている。従って、作業室３とマテリアルロック１０の間を昇降する収容装置２０がワイヤ３１によって揚重機３０に吊り下げられることにより、収容装置２０を昇降させることができる。
【００５６】
また、収容装置２０は、ヘリウム混合ガスを供給する第１供給部２２ａと、酸素を供給する第２供給部２２ｂと、を備える。よって、収容装置２０に収容した作業者Ｍ１にヘリウム混合ガス又は酸素を吸入させることができるので、安全な減圧を行うと共に作業者Ｍ１に応急処置を施すことができる。
【００５７】
また、収容装置２０は、消火器２２ｃを備える。よって、作業室３又はマテリアルロック１０で万が一火災が発生しても、消火器２２ｃによって消火を行うことができる。従って、作業室３及びマテリアルロック１０の安全性を高めることができる。
【００５８】
また、マテリアルロック１０は、処置空間１０ａの気圧を調整する気圧調整部１３と、処置空間１０ａの温度を調整する温度調整部１９と、ヘリウム混合ガスを供給する第３供給部１１と、酸素を供給する第４供給部１２と、を備える。よって、マテリアルロック１０の内部において、処置空間１０ａの気圧及び温度の調整を行うことができる。また、気圧及び温度の調整を行いながら作業者Ｍ１にヘリウム混合ガス又は酸素を吸入させることができる。従って、安全な減圧を速やかに行うことができる。
【００５９】
また、マテリアルロック１０は、ワイヤ３１を通す挿通孔１７ａを有し、ワイヤ３１には、挿通孔１７ａを下から塞ぐ封止部材３２が取り付けられる。よって、マテリアルロック１０の挿通孔１７ａが下から封止部材３２によって塞がれる。従って、挿通孔１７ａから気体が漏れることによってマテリアルロック１０内の気圧が急激に低下する問題を回避することができる。
【００６０】
本実施形態に係る救助方法は、ケーソンＣのマテリアルシャフト６を昇降する収容装置２０に作業者Ｍ１を収容し、収容装置２０を上昇させてマテリアルロック１０に設けられた処置空間１０ａに移動させてから減圧及び処置を施す。従って、収容装置２０に収容された作業者Ｍ１は、そのまま処置空間１０ａに自動的に移動して処置を受けることができるので、救助設備１と同様の効果が得られる。更に、処置空間１０ａでは、減圧を予め定められた計画速度で行うので、急激な気圧の低下を抑制することができる。従って、減圧症の発生を確実に回避することができる。
【００６１】
以上、本発明に係る救助設備及び救助方法の実施形態について説明したが、本発明は、前述の実施形態に限定されるものではなく、各請求項に記載した要旨を変更しない範囲で変形し、又は他のものに適用したものであってもよい。すなわち、本発明は、各請求項の要旨を変更しない範囲で種々の変形が可能であり、救助設備を構成する各部の形状、大きさ、数、材料及び配置態様は適宜変更可能である。更に、救助方法を構成する各工程の順序は適宜変更可能である。
【００６２】
例えば、前述の実施形態では、ゴム製である封止部材３２について説明した。しかしながら、封止部材は、ゴム以外の材料によって構成されていてもよい。例えば、封止部材は、金属製であってもよく、オイルが塗布された金属製の封止部材がメタルタッチで挿通孔１７ａを封止してもよい。また、封止部材３２は円錐状であったが、封止部材の形状は、直方体状、円柱状、楕円体状、角錐状、又は球状であってもよく、適宜変更可能である。
【００６３】
また、前述の実施形態では、椅子型の担架２５について説明した。しかしながら、収容装置に設けられる担架は、適宜変更可能である。また、収容装置２０は、スライドドア２１、本体部２２及び金網部２３を備えていたが、収容装置のレイアウト、及び収容装置に設けられる設備も適宜変更可能である。
【００６４】
また、前述の実施形態では、２つの拡張部１０Ａを備えるマテリアルロック１０について説明したが、マテリアルロックの形状、大きさ、数及び配置態様は適宜変更可能である。更に、マテリアルロックが有する設備の種類、数、大きさ、形状及び配置態様についても適宜変更可能である。
【符号の説明】
【００６５】
１…救助設備、２…躯体、３…作業室、４…スラブ、５…水貯留部、６…マテリアルシャフト、６ａ…内部空間、１０…マテリアルロック、１０Ａ…拡張部、１０ａ…処置空間、１１…第３供給部、１２…第４供給部、１３…気圧調整部、１３ａ…吸気部、１３ｂ…排気部、１４ａ…カメラ、１４ｂ…携帯端末、１４ｃ…消火用設備、１４ｄ…照明設備、１４ｅ…コンセント、１４ｆ…Ｗｉｆｉルータ、１５…下ドア、１６…上ドア、１７…天端、１７ａ…挿通孔、１８…作業用スペース、１９…温度調整部、２０…収容装置、２１…スライドドア、２１ａ…取っ手部、２１ｂ…鍵穴部、２２…本体部、２２ａ…第１供給部、２２ｂ…第２供給部、２３…金網部、２３ａ…ワイヤ取付け部、２４…救急装置、２５…担架、２６…背当て部、２７…座部、２８…キャスタ部、３０…揚重機、３１…ワイヤ、３２…封止部材、Ｃ…ケーソン、Ｇ…地上、Ｍ１，Ｍ２…作業者、Ｓ…隙間。
【図１】
2019019593.tif 000003
【図２】
2019019593.tif 000004
【図３】
2019019593.tif 000005
【図４】
2019019593.tif 000006
【図５】
2019019593.tif 000007